(57)【要約】      （修正有）【課題】回収箱本体を低コスト化して利用性を高めうるとともに保管の際の折り畳み及び次回の使用の際の組立てを極めて容易、簡単に行えるとともに、再利用を可能とする。【解決手段】上下を開口した方形枠状で段ボールを含む厚紙製の回収箱本体７における四方の側板７ａ，７ｂ，７ｃ，７ｄの各上端縁の中央部及び各下端縁の中央部にそれぞれ溝８ａ，８ｂを刻設し、回収箱本体７の下方開口部で十文字状になるように各下端縁の溝８ｂに引っ掛けられた結束紐の各端部側を回収箱本体７の各側板外面から上方に引っ張って各上端縁の溝８ａに止着した後、再び回収箱本体７内に垂下し、回収箱本体７に収納された古新聞等が所定量に達した後に結束紐の各端部側を各溝８ａ，８ｂから外して回収箱本体７を上方に引き抜き該結束紐により所定量の古新聞等を縦、横十文字に結束するように構成した。【選択図】図１
2013052914.tif 000002
【特許請求の範囲】
【請求項１】
上下を開口した方形枠状で段ボールを含む厚紙製の回収箱本体における四方の側板の各上端縁の中央部及び各下端縁の中央部にそれぞれ溝を刻設し、前記回収箱本体の下方開口部で十文字状になるように前記各下端縁の溝に引っ掛けられた結束紐の各端部側を前記回収箱本体の各側板外面から上方に引っ張って前記各上端縁の溝に止着した後、再び前記回収箱本体内に垂下し、前記回収箱本体に収納された古新聞等が所定量に達した後に前記結束紐の各端部側を各溝から外して前記回収箱本体を上方に引き抜き該結束紐により所定量の古新聞等を縦、横十文字に結束するように構成したことを特徴とする古新聞等の回収箱。
【請求項２】
上記回収箱本体は、対向する折線部分をヒンジ部として扁平状に折り畳むことが可能であることを特徴とする請求項１記載の古新聞等の回収箱。
【発明の詳細な説明】
【技術分野】
【０００１】
本発明は、古新聞等の回収箱に関するものであり、特に、読み終えた古新聞や折込広告等を整理収納しておき、古新聞等が所定量に達したとき該古新聞等のみを紐で結束して回収することが可能な古新聞等の回収箱に関するものである。
【背景技術】
【０００２】
従来から、読み終えた古新聞等を新聞専用のビニール袋や紙袋などに収納しておき、所定量溜まった古新聞は廃品回収日にビニール袋や紙袋に収納された状態で廃棄している。このとき、所定の厚みごとの古新聞等を４つ折に畳んで所定のビニール袋などに収納して保管している。ところが、古新聞等を所定のビニール袋などに収納する場合、その都度、両手でビニール袋などの口を開きながら４つ折に畳んだ古新聞をビニール袋に収納しなければならないので、古新聞等をビニール袋に収納するときの作業がやや面倒である。また、ビニール袋などに古新聞等を収納した後に荷崩れが生じやすい。
【０００３】
これに対し、従来、例えば、図６及び図７の（ａ）、（ｂ）、（ｃ）に示すような新聞等のストッカーが知られている。この従来技術は、図６に示すように、ストッカー本体１が、正面板１ａ、背面板１ｂ、右側面板１ｃ及び左側面板１ｄの４枚のポリプロピレン製の板状体を立方形状に組み立てて構成されている。即ち、四隅部に縦孔２，２，２，２を穿設した横長の長方形の正面板１ａ及びこれと全く同一形状の背面板１ｂと（図７（ａ））、前記縦孔２，２，２，２に挿入する下向き鉤状の突出片３，３，３，３を両側辺の上下に設けた縦長の長方形の右側面板１ｃ及びこれと全く同一形状の左側面板１ｄと（図７（ｂ））が備えられ、正面板１ａと背面板１ｂの縦孔２，２，２，２に右側面板１ｃと左側面板１ｄの下向き鉤状の突出片３，３，３，３を挿入係合してストッカー本体１が構成されている。ポリプロピレン製の各板状体１ａ〜１ｄは、それぞれ上下に貫通する空間部６が幅全体にわたって形成されていて軽量化されている（図７（ｃ））。そして、ストッカー本体１は、組立て式であるから、４枚の板状体１ａ〜１ｄをバラバラにして、使用しないときは重ねて置ける。
【０００４】
正面板１ａと背面板１ｂ及び右側面板１ｃと左側面板１ｄには、それぞれの上辺中央部にＶ字状の溝４，４，４，４と下辺中央部に逆Ｗ字状の溝５，５，５，５が刻設されている。中央同士を結んで結び目を作って十字状にした結束紐は、その結び目をストッカー本体１の下部中央部に配置し、その端部を四方（正面、背面、両側面）に引張って、下辺の各逆Ｗ字状溝５，５，５，５の双方の溝にそれぞれ掛け通して内面に入れ、そのまま内側面に沿って上方に引張り、上辺のＶ字状溝４，４，４，４に挿通止着してストッカーが構成されている。ストッカー内に収納した新聞等が所定量に達すると上辺のＶ字状溝４，４，４，４に止めてある結束紐を溝から外して、新聞等をストッカー本体１に収納したまま結束紐で縦、横十文字に結束する（例えば、特許文献１参照）。
【０００５】
また、従来、例えば、次のような古新聞・チラシ・古雑誌収納箱が知られている。この従来技術は、上面が開口した方形状で取っ手及び底板のついた段ボール製の収納箱に紐が係止されていて、その収納箱の上部開口部から４つ折に畳んだ古新聞を収納しておき、該古新聞が一定量溜まったら紐で結束することにより、収納箱と古新聞とを一括して廃品回収施設などへ持ち運びすることができる。この従来技術によれば、古新聞を積み重ねたときに荷崩れが発生しないので、安定した状態で古新聞の束を保管したり廃品回収施設へ持ち運びしたりすることができる（例えば、特許文献２参照）。
【先行技術文献】
【特許文献】
【０００６】
【特許文献１】特開２００２−１６０７０８号公報
【特許文献２】特開２０００−５２６７８号公報
【発明の概要】
【発明が解決しようとする課題】
【０００７】
特許文献１に記載の従来技術においては、ストッカー本体が、次のような４枚のポリプロピレン製の板状体を立方形状に組み立てて構成されている。この４枚の板状体は、四隅部に縦孔を穿設した横長の長方形の正面板及びこれと全く同一形状の背面板と、前記縦孔に挿入する下向き鉤状の突出片を両側辺の上下に設けた縦長の長方形の右側面板及びこれと全く同一形状の左側面板とで構成され、正面板と背面板の縦孔に右側面板と左側面板の下向き鉤状の突出片を挿入係合してストッカー本体が構成されている。ポリプロピレン製の各板状体は、それぞれ上下に貫通する空間部が幅全体にわたって形成されている。また、保管時には、ストッカー本体を組立てている４枚の板状体をバラバラにして重ねて置くようにしている。このため、ストッカー本体がコスト高につくとともに次回の使用の際の組立てに難儀を招くおそれがある。
【０００８】
特許文献２に記載の従来技術においては、収納箱の四方の枠がガイドとなって折り畳んだ古新聞を整理して収納することができるが、一定量収納された古新聞は収納箱と共に廃品回収施設へ廃棄処分されるので、収納箱に再利用性がないために該収納箱の費用が無駄になる。
【０００９】
そこで、回収箱本体は段ボールを含む厚紙製とすることにより低コスト化して利用性を高めうるとともに保管の際の折り畳み及び次回の使用の際の組立てを極めて容易、簡単に行うことを可能とし、回収箱本体に所定量の古新聞等が収納された後に回収箱本体を上方に引き抜いてから所定量の古新聞等のみを紐で結束して廃品回収施設等へ搬送することにより回収箱本体の再利用を可能とするために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、上下を開口した方形枠状で段ボールを含む厚紙製の回収箱本体における四方の側板の各上端縁の中央部及び各下端縁の中央部にそれぞれ溝を刻設し、前記回収箱本体の下方開口部で十文字状になるように前記各下端縁の溝に引っ掛けられた結束紐の各端部側を前記回収箱本体の各側板外面から上方に引っ張って前記各上端縁の溝に止着した後、再び前記回収箱本体内に垂下し、前記回収箱本体に収納された古新聞等が所定量に達した後に前記結束紐の各端部側を各溝から外して前記回収箱本体を上方に引き抜き該結束紐により所定量の古新聞等を縦、横十文字に結束するように構成した古新聞等の回収箱を提供する。
【００１１】
この構成によれば、段ボールを含む厚紙製の回収箱本体は、結束紐の各端部側が四方の側板の各下端縁の溝にそれぞれ引っ掛けられて、該結束紐が下方開口部で十文字状に張り渡されることで方形枠状に形が整えられ、古新聞等が容易且つ整然と収納される。回収箱本体に所定量の古新聞等が収納された後は結束紐の各端部側が各溝から外され回収箱本体を上方に引き抜いてから所定量の古新聞等が結束紐により縦、横十文字に強固に結束されて廃品回収施設等へ搬送される。
【００１２】
請求項２記載の発明は、請求項１記載の発明において、上記回収箱本体は、対向する折線部分をヒンジ部として扁平状に折り畳むことが可能である古新聞等の回収箱を提供する。
【００１３】
この構成によれば、段ボールを含む厚紙製の回収箱本体を保管しておく際には、方形枠状体における対向する折線部分をヒンジ部として扁平状に折り畳まれる。
【発明の効果】
【００１４】
請求項１記載の発明は、回収箱本体を段ボールを含む厚紙製とすることにより低コスト化されて利用性を高めることができるとともに保管の際の折り畳み及び次回の使用の際の組立てを極めて容易、簡単に行うことができる。また、回収箱本体に所定量の古新聞等が収納された後に回収箱本体を上方に引き抜いてから所定量の古新聞等のみを紐で結束して廃品回収施設等へ搬送することにより回収箱本体を再利用することができるという利点がある。
【００１５】
請求項２記載の発明は、請求項１記載の発明の効果に加えてさらに、回収箱本体を保管しておく際に方形枠状体における対向する折線部分をヒンジ部として扁平状に折り畳むことで保管スペースを小さくすることができるという利点がある。
【図面の簡単な説明】
【００１６】
【図１】本発明の実施例に係る古新聞等の回収箱における回収箱本体の斜視図。
【図２】本発明の実施例における結束紐を示す図であり、（ａ）は一部切欠いて示す結束紐の平面図、（ｂ）は該結束紐の各端部側が回収箱本体における四方の側板の各下端縁の溝にそれぞれ引っ掛けられて該結束紐が回収箱本体の下方開口部で十文字状に張り渡された状態を示す平面図。
【図３】結束紐を図２（ｂ）の状態から各端部側を図１の回収箱本体の各側板外面に沿って上方に引っ張り各上端縁の溝に止着した後、再び回収箱本体内に垂下した状態を示す斜視図。
【図４】所定量の古新聞等を図２（ａ）の結束紐で縦、横十文字に結束した状態を示す側面図。
【図５】図１の回収箱本体を扁平状に折り畳んだ状態を示す斜視図。
【図６】従来技術におけるストッカー本体（回収箱本体に相当）の斜視図。
【図７】図６のストッカー本体の各面板を示す図であり、（ａ）は正面板及びこれと同一形状の背面板を示す正面図、（ｂ）は右側面板及びこれと同一形状の左側面板を示す正面図、（ｃ）は図（ａ）中のＸ−Ｘ線に沿う拡大断面図。
【発明を実施するための形態】
【００１７】
本発明は、回収箱本体は段ボールを含む厚紙製とすることにより低コスト化して利用性を高めうるとともに保管の際の折り畳み及び次回の使用の際の組立てを極めて容易、簡単に行うことを可能とし、回収箱本体に所定量の古新聞等が収納された後に回収箱本体を上方に引き抜いてから所定量の古新聞等のみを紐で結束して廃品回収施設等へ搬送することにより回収箱本体の再利用を可能とするという目的を達成するために、上下を開口した方形枠状で段ボールを含む厚紙製の回収箱本体における四方の側板の各上端縁の中央部及び各下端縁の中央部にそれぞれ溝を刻設し、前記回収箱本体の下方開口部で十文字状になるように前記各下端縁の溝に引っ掛けられた結束紐の各端部側を前記回収箱本体の各側板外面から上方に引っ張って前記各上端縁の溝に止着した後、再び前記回収箱本体内に垂下し、前記回収箱本体に収納された古新聞等が所定量に達した後に前記結束紐の各端部側を各溝から外して前記回収箱本体を上方に引き抜き該結束紐により所定量の古新聞等を縦、横十文字に結束するように構成することにより実現した。
【実施例】
【００１８】
以下、本発明の好適な実施例を図１乃至図５を参照して説明する。まず、本実施例に係る古新聞等の回収箱の構成を説明する。図１において、回収箱本体７が上下を開口した平面視長方形の方形枠状で段ボールを含む厚紙で作製されている。該回収箱本体７における上部開口部の寸法は、４つ折に畳んだ新聞紙を平面状に重ねて収納できるように、ほぼ３１０ｍｍ×２２０ｍｍ程度に形成され、深さは折り畳んだ古新聞を所定の高さまで積み重ねられるように３００ｍｍ程度に形成されている。
【００１９】
該回収箱本体７を構成している四方の側板７ａ，７ｂ，７ｃ，７ｄの各上端縁の中央部及び各下端縁の中央部には後述する結束紐の各端部側を圧入係止するための溝８ａ，…，８ｂ，…がそれぞれ刻設されている。各溝８ａ，…，８ｂ，…は、例えばＹ字状の切込みで形成されている。四方の側板７ａ，７ｂ，７ｃ，７ｄの各上端縁側及び各下端縁側は、段ボールを含む厚紙が内側に幅約５０ｍｍ程度、折返えされて（図示せず）二重に形成され、強度の増大が図られている。
【００２０】
古新聞等を結束するための結束紐９は、図２（ａ）に示すように、平面視長方形の回収箱本体７における長辺側に対応した長めの長さの紙紐９ａと、短辺側に対応した短めの長さの紙紐９ｂとの２本の紙紐の中央部同士を結んで結び目９ｃを作り、予め十文字状に形成されている。
【００２１】
次に、上述のように構成された回収箱本体７及び結束紐９を備えた古新聞等の回収箱の収納準備及び作用を説明する。段ボールを含む厚紙製の回収箱本体７は、図２（ｂ）に示すように、結束紐９の各端部側が四方の側板７ａ，７ｂ，７ｃ，７ｄの各下端縁の溝８ｂ，…にそれぞれ引っ掛けられて、該結束紐９が下方開口部で十文字状に張り渡されることで方形枠状に形が整えられる。回収箱本体７の下方開口部で十文字状に張り渡された結束紐９の各端部側は、図３に示すように、回収箱本体７の各側板７ａ，７ｂ，７ｃ，７ｄ外面から上方に引っ張られて各上端縁の溝８ａ，…に止着した後、再び回収箱本体７内に垂下されて収納準備が行われる。
【００２２】
そして、方形枠状の四方の側板７ａ，７ｂ，７ｃ，７ｄがガイドとなって４つ折に畳んだ古新聞等が回収箱本体７内に容易且つ整然と収納される。回収箱本体７に所定量の古新聞等が収納された後は結束紐９の各端部側が各溝８ａ，…，８ｂ，…から外され回収箱本体７を上方に引き抜いてから、図４に示すように、所定量の古新聞等１０が結束紐９により縦、横十文字に強固に結束されて廃品回収施設等へ搬送される。
【００２３】
上記のように、所定量の古新聞等１０が収納された後に引き抜いた段ボールを含む厚紙製の回収箱本体７を一旦保管しておく際には、図５に示すように、方形枠状体における対向する折線部分をヒンジ部として扁平状に折り畳まれて保管の容易化が図られる。
【００２４】
上述したように、本実施例に係る古新聞等の回収箱においては、回収箱本体７を段ボールを含む厚紙製とすることにより低コスト化されて利用性を高めることができるとともに保管の際の折り畳み及び次回の使用の際の組立てを極めて容易、簡単に行うことができる。
【００２５】
回収箱本体７に所定量の古新聞等１０が収納された後に回収箱本体７を上方に引き抜いてから所定量の古新聞等１０のみを結束紐９で結束して廃品回収施設等へ搬送することにより回収箱本体７を再利用することができる。
【００２６】
結束紐９は紙紐が用いられているため、古新聞等１０のリサイクル時に何等選別したりする必要がない。
【００２７】
回収箱本体７を保管しておく際に方形枠状体における対向する折線部分をヒンジ部として扁平状に折り畳むことで保管スペースを小さくすることができる。
【００２８】
なお、本発明は、本発明の精神を逸脱しない限り種々の改変をなすことができ、そして、本発明が該改変されたものにも及ぶことは当然である。
【産業上の利用可能性】
【００２９】
回収箱本体は段ボールを含む厚紙製とすることにより低コスト化して利用性を高めうるとともに保管の際の折り畳み及び次回の使用の際の組立てを極めて容易、簡単に行うことを可能とし、回収箱本体に所定量の古新聞等が収納された後に回収箱本体を上方に引き抜いてから所定量の古新聞等のみを結束紐で結束して廃品回収施設等へ搬送することにより回収箱本体の再利用を可能とすることが不可欠な古新聞のみならず古紙、古雑誌等の廃品回収支援装置として広く適用することが可能である。
【符号の説明】
【００３０】
７          回収箱本体
７ａ〜７ｄ  四方の側板
８ａ，８ｂ  溝
９          結束紐
１０          古新聞等
【図１】
2013052914.tif 000003
【図２】
2013052914.tif 000004
【図３】
2013052914.tif 000005
【図４】
2013052914.tif 000006
【図５】
2013052914.tif 000007
【図６】
2013052914.tif 000008
【図７】
2013052914.tif 000009